(57)【要約】【課題】支柱に対する固定及び固定解除を容易にできる棚板支持具を提供する。【解決手段】棚板支持具１０１は、支柱に着脱可能に固定される固定部１０２と、棚板を支持するための支持部材１０３と、を備える。固定部１０２は、ホルダ１０４とスライド部１０５とを有し、ホルダ１０４とスライド部１０５の間に支柱を挟持することにより支柱に固定される。支持部材１０３は、ホルダ１０４に旋回軸Ｃ１０１を中心に旋回自在に支持されると共に、カム曲面１３０を有する。支持部材１０３が上方位置から下方位置に旋回すると、カム曲面１３０はスライド部１０５を支柱に対して押圧し、支柱はホルダ１０４とスライド部１０５の間に挟持され、支持部材１０３が下方位置から上方位置へ旋回すると、カム曲面１３０によるスライド部１０５の支柱に対する押圧が解除される。【選択図】図８
2018089342.tif 000002
【特許請求の範囲】
【請求項１】
支柱に着脱可能に固定される固定部と、
棚板を支持するための支持部材と、を備え、
前記固定部は、ホルダと、前記ホルダに対して第１所定方向にスライド自在なスライド部と、を有し、前記固定部は、前記ホルダと前記スライド部の間に前記支柱を挟持することにより前記支柱に対して固定され、
前記支持部材は、前記ホルダに旋回軸を中心に旋回自在に支持されると共に、カム曲面を有し、前記旋回軸は前記第１所定方向と垂直な第２所定方向に延び、
前記支持部材が前記旋回軸を中心に第２所定位置から第１所定位置へ旋回すると、前記カム曲面は前記スライド部を前記支柱に対して押圧し、
前記支持部材が前記旋回軸を中心に前記第１所定位置から前記第２所定位置へ旋回すると、前記カム曲面による前記スライド部の前記支柱に対する押圧が解除されることを特徴とする棚板支持具。
【請求項２】
前記スライド部は前記カム曲面と当接する当接部を有し、前記第１所定方向及び前記第２所定方向と垂直な第３所定方向を基準として、前記当接部と前記カム曲面との当接位置は前記旋回軸から偏倚していることを特徴とする請求項１に記載の棚板支持具。
【請求項３】
前記スライド部は、スライド本体部と、前記スライド本体部に装着た当接部と、を備え、
前記カム曲面は前記当接部に当接して前記スライド部を前記支柱に対して押圧し、
前記当接部の前記スライド本体部からの突出量が調整可能であることを特徴とする請求項１に記載の棚板支持具。
【請求項４】
支柱に着脱可能に固定される固定部と、
棚板を支持するための支持部材と、
カム機構と、を有し、
前記固定部は、ホルダと、前記ホルダに対してスライド自在なスライド部と、を有し、前記固定部は、前記ホルダと前記スライド部の間に前記支柱を挟持することにより前記支柱に対して固定され、
前記支持部材が旋回軸を中心に前記固定部に対して所定方向に旋回すると、前記カム機構は前記ホルダを前記スライド部に対して第１方向へスライドさせて前記支柱を前記ホルダと前記スライド部の間に挟持させ、
前記支持部材が前記旋回軸を中心に前記所定方向とは逆方向に前記固定部に対して旋回すると、前記カム機構は前記ホルダを前記スライド部に対して前記第１方向とは逆の第２方向へスライドさせることを特徴とする棚板支持具。
【請求項５】
前記カム機構は、前記スライド部に前記旋回軸を中心に回転可能に保持された回転部と、前記回転部に回転軸を中心に回転可能に保持された偏心カラーと、を備え、
前記支持部材は、前記回転部を介して前記スライド部に対して旋回自在に支持され、
前記回転軸は前記旋回軸に対して偏心しており、
前記偏心カラーは前記ホルダに対して回転可能かつ前記第１方向と直交する第３方向に移動可能に保持されていることを特徴とする請求項４に記載の棚板支持具。
【請求項６】
前記支持部材の上面には支持部が設けられ、前記支持部の上面は曲面状であることを特徴とする請求項４又は５に記載の棚板支持具。
【発明の詳細な説明】
【技術分野】
【０００１】
本発明は、什器の支柱に取り付けられてパレット等の棚板を保持するための棚板支持具に関する。
【背景技術】
【０００２】
従来より、パレット等からなる補助板を用いて什器の収納スペースを上下に仕切ることで、什器の収容スペースの有効利用が図られている。補助板は、什器が備える複数の支柱の各々に固定された棚板支持具に載置されて支持され、各棚板支持具の支柱への固定はボルトにより行われるのが一般的であった（例えば、特許文献１）。
【先行技術文献】
【特許文献】
【０００３】
【特許文献１】特開第２００９−２０３０７０号公報
【発明の概要】
【発明が解決しようとする課題】
【０００４】
上述の棚板支持具において支柱に対する高さ調整を行うには、先ずボルトを緩めて支柱に対する固定を解除し、棚板支持具をスライドさせて位置調整した後に、ボルトを締め直して再度固定させる必要があり、作業が煩雑であった。
【０００５】
本発明は、支柱に対する固定及び固定解除を容易にできる棚板支持具の提供を目的とする。
【課題を解決するための手段】
【０００６】
本発明の棚板支持具は、支柱に着脱可能に固定される固定部と、棚板を支持するための支持部材と、を備え、前記固定部は、ホルダと、前記ホルダに対して第１所定方向にスライド自在なスライド部と、を有し、前記固定部は、前記ホルダと前記スライド部の間に前記支柱を挟持することにより前記支柱に対して固定され、前記支持部材は、前記ホルダに旋回軸を中心に旋回自在に支持されると共に、カム曲面を有し、前記旋回軸は前記第１所定方向と垂直な第２所定方向に延び、前記支持部材が前記旋回軸を中心に第２所定位置から第１所定位置へ旋回すると、前記カム曲面は前記スライド部を前記支柱に対して押圧し、前記支持部材が前記旋回軸を中心に前記第１所定位置から前記第２所定位置へ旋回すると、前記カム曲面による前記スライド部の前記支柱に対する押圧が解除されることを特徴とする。
【０００７】
また、本発明の棚板支持具は、前記スライド部は前記カム曲面と当接する当接部を有し、前記第１所定方向及び前記第２所定方向と垂直な第３所定方向を基準として、前記当接部と前記カム曲面との当接位置は前記旋回軸から偏倚していることを特徴とする。
【０００８】
また、本発明の棚板支持具は、前記スライド部は、スライド本体部と、前記スライド本体部に装着された当接部と、を備え、前記カム曲面は前記当接部に当接して前記スライド部を前記支柱に対して押圧し、前記当接部の前記スライド本体部からの突出量が調整可能であることを特徴とする。
【０００９】
本発明の棚板支持具は、支柱に着脱可能に固定される固定部と、棚板を支持するための支持部材と、カム機構と、を有し、前記固定部は、ホルダと、前記ホルダに対してスライド自在なスライド部と、を有し、前記固定部は、前記ホルダと前記スライド部の間に前記支柱を挟持することにより前記支柱に対して固定され、前記支持部材が旋回軸を中心に前記固定部に対して所定方向に旋回すると、前記カム機構は前記ホルダを前記スライド部に対して第１方向へスライドさせて前記支柱を前記ホルダと前記スライド部の間に挟持させ、  前記支持部材が前記旋回軸を中心に前記所定方向とは逆方向に前記固定部に対して旋回すると、前記カム機構は前記ホルダを前記スライド部に対して前記第１方向とは逆の第２方向へスライドさせることを特徴とする。
【００１０】
また、本発明の棚板支持具は、前記カム機構は、前記スライド部に前記旋回軸を中心に回転可能に保持された回転部と、前記回転部に回転軸を中心に回転可能に保持された偏心カラーと、を備え、前記支持部材は、前記回転部を介して前記スライド部に対して旋回自在に支持され、前記回転軸は前記旋回軸に対して偏心しており、前記偏心カラーは前記ホルダに対して回転可能かつ前記第１方向と直交する第３方向に移動可能に保持されていることを特徴とする。
【００１１】
また、本発明の棚板支持具は、前記支持部材の上面には支持部が設けられ、前記支持部の上面は曲面状であることを特徴とする。
【発明の効果】
【００１２】
本発明の棚板支持具によれば、前記支持部材が第２所定位置から第１所定位置へ旋回すると、前記カム曲面は前記スライド部を前記支柱に対して押圧し、前記支持部材が前記第１所定位置から前記第２所定位置へ旋回すると、前記カム曲面による前記スライド部の前記支柱に対する押圧が解除されるので、支持部材を第１所定位置と第２所定位置の間で旋回させるだけで支柱への固定及び固定解除が行われる、容易に棚板支持具の高さ調整を行うことができる。
【００１３】
また、第３所定方向において、前記当接部と前記カム曲面との当接位置は前記旋回軸から偏倚しているので、前記支持部材が前記第１所定位置に位置づけられた状態で更に支持部材を第２所定位置から離隔する方向に働く力が加わっても、前記固定部のがたつきが抑えられる。
【００１４】
本発明の棚板支持具によれば、支持部材が第１所定位置に位置づけられると、回転部はスライド部を支柱に対して押圧し、支柱がホルダとスライド部の間に挟持され、支持部材が旋回軸を中心に第２所定位置へ旋回すると、回転部によるスライド部の支柱に対する押圧が解除されるので、支持部材を第１所定位置と第２所定位置の間で旋回させるだけで支柱への固定及び固定解除が行われるので、容易に棚板支持具の高さ調整を行うことができる。
【００１５】
本発明の棚板支持具によれば、前記支持部材が所定方向に旋回すると、前記カム機構は前記ホルダを前記スライド部に対して第１方向へスライドさせて前記支柱を前記ホルダと前記スライド部の間に挟持させるので、前記支持部材を所定方向へ旋回させるだけで容易にホルダとスライド部の間に支柱を挟持させて棚板支持具を支柱へ固定させることができる。また、前記支持部材が逆方向に旋回すると、前記カム機構は前記ホルダを前記スライド部に対して前記第１方向とは逆の第２方向へスライドさせるので、使用者は支持部材を逆方向へ旋回させるだけで容易に棚板支持具の支柱への固定を解除することができ、ボルト等を用いることなく容易に棚板支持具の高さ調整を行うことができる。
【図面の簡単な説明】
【００１６】
【図１】本発明の第１実施形態に係る棚板支持具の使用方法を示す概略斜視図。
【図２】図１に示す棚板支持具の側面図。
【図３】図１に示す棚板支持具の平面図。
【図４】図２のＩＶ−ＩＶ線断面図であって、（ａ）は支柱に対して固定された状態を示し、（ｂ）は支柱に対する固定が解除された状態を示す図。
【図５】図１に示す棚板支持具の斜視図。
【図６】図５に示す棚板支持具から取付ピンを取り外した状態を示す斜視図。
【図７】図６に示す棚板支持具の分解斜視図。
【図８】本発明の第２実施形態に係る棚板支持具の側面図であって、（ａ）は支柱に対して固定された状態を示し、（ｂ）は支柱に対する固定が解除された状態を示す図。
【図９】図８（ａ）のＩＸ―ＩＸ線断面図。
【図１０】図８に示す棚板支持具の斜視図。
【図１１】図８に示す棚板支持具の分解斜視図。
【図１２】（ａ）は図１０のＸＩＩａ―ＸＩＩａ線断面図、（ｂ）は（ａ）に示す状態から支持部材を上方に旋回させた状態を示す図。
【図１３】本発明の第３実施形態に係る棚板支持具の斜視図。
【図１４】図１３に示す棚板支持部の断面図であって、（ａ）は支持部材が下方位置に位置づけられた状態を示し、（ｂ）は支持部材が上方位置に位置づけられた状態を示す。
【発明を実施するための形態】
【００１７】
［第１実施形態］
以下、添付図面を参照して、本発明の第１実施形態に係る棚板支持具について説明する。図１〜図３に示す様に、本実施形態に係る棚板支持具１は、什器Ｒが有する複数本の支柱Ｒａの各々に装着されて、パレット等の棚板（図示せず）を下方から支持するものであり、支柱Ｒａに着脱可能に固定される固定部２と、棚板を支持するための支持部材３と、固定部２と支持部材３とを連結するカム機構６と、を備える。
【００１８】
図４及び図５をも参照して、固定部２は、略角Ｕ字状の横断面を有するホルダ４と、ホルダ４に対して前後方向Ｄ１にスライド自在に保持された一対のスライド部５と、を備え、固定部２はホルダ４とスライド部５との間に支柱Ｒａを挟持することにより支柱Ｒａに固定される。ホルダ４は、左右方向Ｄ２に相互に対向する一対のガイド部４１と、ガイド部４１の後端部同士を接続する接続部４２と、を有する。図４に示す例では支柱Ｒａは矩形状横断面を有し、接続部４２は支柱Ｒａの角部に対応して前方に向けてテーパ状に広がる内面４２ａを有する。
【００１９】
各ガイド部４１は、Ｃ型ガイドレールからなり、平板部４１ａと、平板部４１ａの上下方向Ｄ３両縁から内側へ延出する一対のガイドフランジ４１ｂと、を有する。図６に示す様に平板部４１ａには縦長のガイド孔Ｈ１が設けられている。
【００２０】
各スライド部５は、ガイド部４１の上下一対のガイドフランジ４１ｂの間に保持されて、ホルダ４に対して前後方向Ｄ１にスライド自在とされている。また、各スライド部５の後端面５ａは、支柱Ｒａに対して面当接可能なように後方に向かって左右方向Ｄ２外方へ傾斜している。    
【００２１】
支持部材３は前後方向Ｄ１に延びる棒状に構成されており、その上面３ａの前方部位には支持部９が設けられている。支持部９の上面９ａは上方に向かって凸となる曲面とされており、より具体的には側面視でアーチ状に延びるアーチ状面とされている。
【００２２】
図４及び図７を参照して、カム機構６は、回転部６１と、一対の偏心カラー６２と、一対の取付ピン６３と、を有する。回転部６１は支持部材３の後方部位に固定され、その左右方向Ｄ２両端部は各スライド部５に設けられた挿入孔Ｈ２に回転自在に収容保持されている。かかる構成により、支持部材３は回転部６１と共に図２に実線で示す下方位置（水平位置）と破線で示す上方位置との間を旋回軸Ｃ１（即ち、左右方向Ｄ２に延びる回転部６１の中心線）を中心に旋回可能とされている。また、支持部材３の後端３ｂはＲ形状を有し、支持部材３が旋回軸Ｃ１を中心に旋回した際に支持部材３の後端３ｂが支柱Ｒａと干渉するのを防止している。
【００２３】
一対の偏心カラー６２は、回転部６１の左右両側に回転自在に挿入保持され、その回転軸Ｃ２（左右方向Ｄ２に延びる偏心カラー６２の中心線）は旋回軸Ｃ１に対して偏心している。また、図４及び図６に示す様に、各偏心カラー６２の左右方向Ｄ２外側端部は、ガイド部４１のガイド孔Ｈ１に挿入保持されている。ガイド孔Ｈ１は上下方向Ｄ３に長い長孔とされており、ガイド孔Ｈ１に保持された偏心カラー６２はガイド溝Ｈ１の長手方向、即ち上下方向Ｄ３への移動は許容されるが前後方向Ｄ１へは移動できないようにされている。各取付ピン６３は、ホルダ２の外方から対応の偏心カラー６２に挿通されて、偏心カラー６２及び回転部６１を保持する。
【００２４】
よって、使用者が支持部材３を図２に実線で示す下方位置から点線で示す上方位置へ旋回させると、回転部６１は旋回軸Ｃ１を中心に回転し、旋回軸Ｃ１に対する回転軸Ｃ２（偏心カラー６２）の位相が変位する。これに伴い、偏心カラー６２はガイド孔Ｈ１内を上方に変位することよりスライド部５に対して上方に移動し、ホルダ４は回転部６１に押されてスライド部５に対して後方へ移動する。換言すると、偏心カラー６２の偏心量によりホルダ４に対してスライド部５が相対的に前方に移動する。これにより、ホルダ４は、図４（ａ）に示すように内面４２ａとスライド部５とにより支柱Ｒａを挟持する固定位置から、図４（ｂ）に示す様に支柱Ｒａに対する固定が解除された非固定位置へ移動し、棚板支持具１の支柱Ｒａに対する固定が解除される。
【００２５】
一方、使用者が支持部材３を図２に点線で示す上方位置から実線で示す下方位置（水平位置）へ旋回させると、偏心カラー６２はその偏心量に伴いガイド孔Ｈ１内を下方に変位し、ホルダ４はスライド部５に対して相対的に前方に移動する。これにより、ホルダ４は図４（ｂ）に示す非固定位置から図４（ａ）に示す固定位置へ移動し、支柱Ｒａはスライド部５の後端面５ａとホルダ４の内面４２ａとにより挟持され、棚板支持具１は支柱Ｒａに対して固定される。
【００２６】
よって、支柱Ｒａに対する棚板支持具１の高さ調整を行う場合には、支持部材３を上方位置へ旋回させることで棚板支持具１の支柱Ｒａに対する固定を解除し、この状態で棚板支持具１を任意の高さ位置までスラドさせ、支持部材３を下方位置へ戻して支柱Ｒａに固定させればよい。
【００２７】
そして、このように棚板支持具１を複数本の支柱Ｒａに対して複数個固定することで、棚板（図示せず）を複数個の支持部材３に載置して保持することができる。このとき、棚板の下面は支持部９の曲面状の上面９ａに当接して支持される。
【００２８】
このように、本実施形態の棚板支持具１によれば、支持部材３を上下に回動させるだけで棚板支持具１の支柱Ｒａに対する固定と固定解除が行われるので、棚板支持具１の位置調整を容易に行うことができる。
【００２９】
また、上述したように、支持部９はアーチ状の上面９ａを有するため、棚板の下面は上面９ａの何れかの部位に線接触して支持される。よって、仮に複数個の棚板支持具１の支柱Ｒａに対する固定箇所が上下方向Ｄ３に幾分ずれていても、棚板を安定して保持できる。
【００３０】
［第２実施形態］
次に、本発明の第２実施形態に係る棚板支持具について説明する。図８及び図９に示す様に、本実施形態の棚板支持具１０１は、支柱Ｒａに着脱可能に固定される固定部１０２と、棚板を支持するための支持部材１０３と、を備える。
【００３１】
固定部１０２は、ホルダ１０４と、ホルダ１０４に対して前後方向Ｄ１にスライド自在に保持されたスライド部１０５と、を備え、ホルダ１０４とスライド部１０５との間に支柱Ｒａを挟持することにより支柱Ｒａに固定される。
【００３２】
図１０及び図１１に示す様に、ホルダ１０４は左右一対のホルダ部材１４０を備え、これら一対のホルダ部材１４０によって、支柱Ｒａが挿通される平面視略矩形状の空間Ｓが規定されている。より具体的に、各ホルダ部材１４０は、前後方向Ｄ１に延びる後部１４０ａ及び前部１４０ｂと、後部１４０ａと前部１４０ｂとの間に位置する中間部１４０ｃと、を備え、中間部１４０ｃは支柱Ｒａの角部に対応して左右方向Ｄ２内方に向けてテーパ状に広がるよう、平面視略く字状に屈曲されている。これら一対のホルダ部材１４０は、後部１４０ａに挿通されてナットＮに螺合されたボルトＢ（連結具）により相互に連結されている。よって、ボルトＢの締め具合を調整することにより、左右方向Ｄ２におけるホルダ１０４の幅寸法を調整することができる。また、前部１４０ｂは、後部１４０ａよりも左右方向Ｄ２外側に位置しており、図１０に示す様に後部１４０ａ同士を当接させた場合であっても前部１４０ｂ同士は当接せず、所定の間隔が空くように構成されている。
【００３３】
スライド部１０５は、ホルダ１０４の一対の前部１４０ｂの間に配設されており、スライド本体部１５０と、スライド本体部１５０に装着された当接部１５５と、を備える。スライド本体部１５０は、前板部１５１と、前板部１５１の上端及び下端からそれぞれ後方に延出する上板部１５２及び下板部１５３と、を有する。上板部１５２の左右両端は後板部１５１の左右両端よりも左右方向Ｄ２外方に幾分延出しており、このように延出した部分がホルダ１０４の各後部１４０ｂを上下方向Ｄ３からスライド自在に支持するフランジ部Ｆ１、Ｆ２（図１０）として機能する。また、上板部１５２及び下板部１５３の後端１５２ａ,１５３ａ（図１１）は、支柱Ｒａの角部に対応して平面視略く字状に切り欠かれている。
【００３４】
当接部１５５は、スライド本体部１５０の前面（前板部１５１）から前方に向かって延出しており、本実施形態においては前板部１５１に螺合されたボルトから構成されている。かかる構成において、ボルト（当接部１５５）を回転させることにより、当接部１５５のスライド本体部１５０からの前方への突出量を調整することができ、これによりスライド部１０５全体の前後方向Ｄ１における長さ寸法を調整することができる。このように、当接部１５５は長さ調節部として機能する。
【００３５】
支持部材１０３はホルダ１０４の前部１４０ｂの間に配設され、ホルダ１０４により左右方向Ｄ２に延びる旋回軸Ｃ１０１を中心に旋回自在に支持されている。また、図１２に示す様に、支持部材１０３には、その後端から上面にかけてカム曲面１３０が設けられている。即ち、カム曲面１３０の中心点Ｐは、支持部材１０３の旋回軸Ｃ１０１から偏倚している。
【００３６】
かかる構成において、支持部材１０３が図１２（ｂ）に示す上方位置（第２所定位置）から図１２（ａ）に示す下方位置（水平位置、第１所定位置）へ旋回軸Ｃ１０１を中心に旋回すると、カム曲面１３０の中心点Ｐは旋回軸Ｃ１０１に対して相対的に後方へ移動するため、カム曲面１３０はスライド部１０５の当接部１５５に当接し、スライド部１０５を支柱Ｒａに対して押圧させる。これにより、ホルダ１０４とスライド部１０５によって支柱Ｒａが強固に挟持され、固定部１０２が支柱Ｒａに固定される。
【００３７】
また、支持部材１０３が図１２（ａ）に示す下方位置から図１２（ｂ）に示す上方位置へ向けて旋回すると、カム曲面１３０の中心点Ｐは旋回軸Ｃ１０１に対して相対的に前方へ移動するため、カム曲面１３０は当接部１５５から離隔し、スライド部１０５の支柱Ｒａに対する押圧が解除される。
【００３８】
よって、支柱Ｒａに対する棚板支持具１０１の高さ調整を行う場合には、支持部材１０３を上方位置へ旋回させることで棚板支持具１０１の支柱Ｒａに対する固定を解除し、棚板支持具１０１を任意の高さ位置まで上下方向Ｄ３にスライドさせ、支持部材１０３を下方位置へ戻して支柱Ｒａに固定させればよい。なお、支柱Ｒａに対する固定を解除した後にスライド部１０５をホルダ１０４に沿って前方へスライドさせると、支柱Ｒａとスライド部１０５との間に隙間が空くため、棚板支持具１０１をスライドさせやすくなり、位置合わせをより容易にできる。
【００３９】
このように、本実施形態の棚板支持具１０１においても、支持部材１０３を上下に旋回させるだけで棚板支持具１０１の支柱Ｒａに対する固定と固定解除が行われるので、棚板支持具１０１の位置調整を容易に行うことができる。
【００４０】
また、本実施形態の棚板支持具１０１においては、左右方向Ｄ２におけるホルダ１０４の幅寸法及び当接部１５５の前方向への突出量を調整できるので、異なる太さの支柱Ｒａにも良好に対応できる。
【００４１】
即ち、所定寸法よりも太い支柱Ｒａに用いる場合には、支柱Ｒａの太さに合わせて一対のホルダ部材１４０の間隔を調整し、ホルダ１０４の幅寸法を調節する。このときホルダ部材１４０は、後部１４０ａ同士が当接しない状態でボルトＢにより連結される。また、支持部材１０３が下方位置に位置づけられた状態において固定部１０２が支柱Ｒａに対して固定されるように、当接部１５５の突出量を小さくする。これにより、太い支柱Ｒａを用いた際に、支持部材１０３が水平位置に到達する前に（即ち、支持部材１０３が前方斜め上方に傾いた状態で）、支柱Ｒａに対して固定されるのを防止できる。
【００４２】
［第３実施形態］
次に、図１３及び図１４を参照して本発明の第３実施形態に係る棚板支持具２０１について説明する。なお、棚板支持具２０１は上述した棚板支持具１０１と類似であるため、ここでは棚板支持具１０１と異なる点についてのみ説明する。棚板支持具２０１は支柱Ｒａに着脱可能に固定される固定部２０２と、棚板を支持するための支持部材２０３と、を備える。
【００４３】
固定部２０２は、ホルダ２０４と、ホルダ２０４に対して前後方向Ｄ１にスライド自在に保持されたスライド部２０５と、を備え、ホルダ２０４とスライド部２０５との間に支柱Ｒａを挟持することにより支柱Ｒａに固定される。
【００４４】
ホルダ２０４は、第２実施形態のホルダ１０４と略同一であるが、左右一対のホルダ部２４０が一体形成されており、後部１４０ａに対応する部位を有しない点において異なる。スライド部２０５は、第２実施形態のスライド部１０５と略同一であるが、図１２に示す様にスライド部１０５では当接部１５５が旋回軸Ｃ１０１と同一の高さ位置に設けられているのに対し、本実施形態では図１４に示す様に当接部１５５が旋回軸Ｃ１０１よりも下方に位置している点で異なる。
【００４５】
支持部材２０３は第２実施形態の支持部材１０３と略同一であるが、第２実施形態のカム曲面１３０とは僅かに異なる形状のカム曲面２３０を有している。これは、本実施形態では当接部１５５が旋回軸Ｃ１０１よりも下方に設けられているためであり、支持部材２０３が図１４（ａ）に示す下方位置に位置づけられた場合にカム曲面２３０が当接部１５５に当接するようにするためである。これにより、図１４（ａ）に示す様に、当接部２５５とカム曲面２３０との当接位置Ａは、旋回軸Ｃ１０１よりも下方に位置することになる。
【００４６】
このように、本実施形態においては、当接部２５５の高さ位置が旋回軸Ｃ１０１の高さ位置と異なるため、支持部材２０３を図１４（ａ）に示す下方位置に位置づけた状態において、更に支持部材２０３を下方に押し下げる力が働いても、ホルダ２０４ががたつくことがない。即ち、第２実施形態では、旋回軸Ｃ１０１の高さ位置と当接部１５５の高さ位置（より具体的には、当接部１５５とカム曲面１３０との当接位置の高さ位置）が一致しているため、支持部材１０３を図１２（ａ）に示す下方位置に位置づけた状態において、更に支持部材１０３を下方に押し下げる力が働くと、力の成分は前後方向Ｄ１へは働かずに上下方向Ｄ３にのみ働き、ホルダ１０４ががたついてしまう。これに対し、本実施形態においては、支持部材２０３を図１４（ａ）に示す下方位置に位置づけた状態において、更に支持部材２０３を下方に押し下げる力が働いた場合でも、力の成分は上下方向Ｄ３に働くと共に前後方向Ｄ１へも働くため、ホルダ２０４のがたつきが抑制される。
【００４７】
また、本実施形態においては、当接部１５５はスライド本体部１５０の上下方向Ｄ３中心よりも下方に取り付けられている。これにより、支持部材２０３により当接部１５５が強力な力で後方に押されても、スライド本体部１５０の変形を防止できる。即ち、上記第２実施形態では、当接部１５５はスライド本体部１５０の上下方向Ｄ３中心に設けられているため、当接部１５５が後方に向けて強い力で押されると、スライド本体部１５０が凹状に変形するおそれがあるが、本実施形態ではこのような変形を回避することができる。
【００４８】
以上、本発明の実施形態に係る棚板支持具について添付の図面を参照して説明したが、本発明はかかる実施形態に限定されず、本発明の範囲を逸脱することなく種々の変形、修正が可能である。
【００４９】
例えば、第１実施形態においては、支持部９の上面９ａはアーチ状としたが、これに代えて半球状としてもよい。この場合には、棚板の下面は上面９ａの何れかの部位に点接触することになるが、これによっても棚板を安定して保持できる。また、上記第１実施形態においては、支持部材３と回転部６１とは別個の部材とされているが、支持部材３と回転部６１とを一体形成してもよい。
【００５０】
また、第２及び第３実施形態に係る棚板支持具１０１，２０１の支持部材１０３，２０３に第１実施形態の支持部９を設けてもよい。更に、上記第３実施形態において、ホルダ２０４に代えて第２実施形態のホルダ１０４を用いてもよい。
【符号の説明】
【００５１】
１、１０１、２０１  棚板支持具
２、１０２、２０２  固定部
３、１０３、２０３  支持部材
４、１０４、２０４  ホルダ
５、１０５、２０５  スライド部
６  カム機構
６１  回転部
６２  偏心カラー
１３０、２３０  カム曲面
Ｃ１、Ｃ１０１  旋回軸
Ｃ２  回転軸
【図１】
2018089342.tif 000003
【図２】
2018089342.tif 000004
【図３】
2018089342.tif 000005
【図４】
2018089342.tif 000006
【図５】
2018089342.tif 000007
【図６】
2018089342.tif 000008
【図７】
2018089342.tif 000009
【図８】
2018089342.tif 000010
【図９】
2018089342.tif 000011
【図１０】
2018089342.tif 000012
【図１１】
2018089342.tif 000013
【図１２】
2018089342.tif 000014
【図１３】
2018089342.tif 000015
【図１４】
2018089342.tif 000016